(57)【要約】    【課題】優れた滑止効果を発揮する釣用靴及びこれに使用される靴底材の提供。    【解決手段】この釣用靴は、靴底材１３を備える。靴底材１３は三分割されており、土踏まず部８１と、この前後に設けられた爪先部８２及び踵部８３とを有する。靴底材１３はフェルトからなる。土踏まず部８１の剛性は、爪先部８２及び踵部８３の剛性よりも低く設定されている。土踏まず部８１、爪先部８２及び踵部８３は、取付部材３３の上に配置されている。靴底材１３は、土踏まず部８１と爪先部８２との間、及び土踏まず部８１と踵部８３との間で屈曲可能となっている。【選択図】図３
2006296628.tif 000002
【特許請求の範囲】
【請求項１】
釣人の足が挿入され得る靴本体と、靴本体の外底面に設けられた靴底材とを有し、
靴底材は、土踏まず部と、土踏まず部の前側に配置され且つ当該土踏まず部とヒンジ結合された爪先部と、土踏まず部の後側に配置され且つ当該土踏まず部とヒンジ結合された踵部とを備え、
上記土踏まず部の剛性は、踵部の剛性及び爪先部の剛性よりも低く設定されている釣用靴。
【請求項２】
上記靴底材は、可撓性を有するシート状の取付部材を備え、上記土踏まず部、爪先部及び踵部は、上記取付部材上に配置されている請求項１に記載の釣用靴。
【請求項３】
上記土踏まず部と上記爪先部との境界、及び上記土踏まず部と踵部との境界に、断面形状がＶ字状の溝が設けられている請求項１又は２に記載の釣用靴。
【請求項４】
上記靴底材は、上記靴本体の外底面に着脱自在に設けられている請求項１から３のいずれかに記載の釣用靴。
【請求項５】
釣用靴の靴本体の外底面に設けられる靴底材であって、
土踏まず部と、土踏まず部の前側に配置され且つ当該土踏まず部とヒンジ結合された爪先部と、土踏まず部の後側に配置され且つ当該土踏まず部とヒンジ結合された踵部とを備え、
上記土踏まず部の剛性は、踵部の剛性及び爪先部の剛性よりも低く設定されている靴底材。
【請求項６】
上記土踏まず部、爪先部及び踵部は、可撓性を有するシート状の取付部材上に配置されている請求項５に記載の靴底材。
【請求項７】
上記土踏まず部と上記爪先部との境界、及び上記土踏まず部と踵部との境界に、断面形状がＶ字状の溝が設けられている請求項５又は６に記載の靴底材。
【請求項８】
上記靴本体の外底面に着脱自在に設けられている請求項５から７のいずれかに記載の靴底材。
【発明の詳細な説明】
【技術分野】
【０００１】
本発明は、釣用靴、特に釣用靴の靴底に使用される靴底材の構造に関するものである。
【背景技術】
【０００２】
例えば、川釣りや磯釣りにおいては、釣人は石や岩（磯）の上を歩行する。このような釣場の石や岩の表面は、一般に濡れていることが多く、またコケやノリ等が付着していることも多い。そのため、釣人が着用する釣用靴の靴底は、歩行の際に滑らないように従来からさまざまな改良が加えられている（例えば、特許文献１〜特許文献６参照）。
【０００３】
具体的には、従来の釣用靴には、（ア）靴底材がフェルトから構成されているもの、（イ）靴底にスパイクピンが設けられているもの、（ウ）靴底に吸盤が設けられているもの等がある。これらの改良が施された釣用靴は、それぞれ一定の条件下（釣場の環境下）においては一定の滑止効果を発揮する。すなわち、例えば磯が平坦な岩からなり、あまり濡れていない場合には、靴底材がフェルトから構成されているものが好ましいし、石や岩に柔らかいコケが生え、常時濡れているような場合には、靴底にスパイクピンが設けられているものが好ましい。
【０００４】
【特許文献１】特開２００２−２８２００９公報
【特許文献２】特開２００１−１９７９０３公報
【特許文献３】特開平１０−４２９０５号公報
【特許文献４】実開平４−４８０３号公報
【特許文献５】実開平１−１２６１０１号公報
【特許文献６】実開昭６３−１９１９０５号公報
【発明の開示】
【発明が解決しようとする課題】
【０００５】
釣場の環境はさまざまである。釣場に散在する石の表面が滑面である場合や、岩の表面が濡れた粗面である場合もある。また、岩の表面に柔らかいコケが生えている場合や、比較的硬い草が生えている場合もある。そのため、例えば、靴底にスパイクピンが設けられた釣用靴は、粗面の岩場では優れた滑止効果を発揮するが、コケ等が生えている場所では、必ずしも高い滑止効果を発揮することはできなかった。すなわち、単に石や岩との間の摩擦係数の向上を目的として靴底材の構造や靴底材を構成する材料が改良されるだけでは、さまざまな環境に対応して優れた滑止効果を発揮することは困難であった。
【０００６】
本発明は、かかる背景のもとになされたものであって、釣場におけるあらゆる環境下においても優れた滑止効果を発揮する釣用靴及びこれに使用される靴底材を提供することを目的とするものである。
【課題を解決するための手段】
【０００７】
(1) 人間の足（特に足の裏）は、優れた触覚機能を発揮することが知られている。したがって、釣人は、釣用靴を履いた状態であっても自己の足の裏によって釣場に散在する石や岩の状態（形状や表面の状態）を感じ取れることができれば、歩行時に自己の足を接地させようとする石や岩の表面が滑りやすいか否かをある程度把握することができる。そして、釣人は、当該石や岩の表面が滑りやすくなっていることを認知することができれば、自己の足の接地のしかたを工夫して足が滑りにくくすることもできる。本願発明者はこの点に着目し、靴底が所定の可撓性を備えていれば、当該靴を履いた釣人は、自己の足の裏で釣場の環境（滑りやすさ等）を確認することができ、その結果、当該釣用靴が高い滑止効果を発揮し得ると考えた。
【０００８】
(2) そこで、本発明に係る釣用靴は、釣人の足が挿入され得る靴本体と、靴本体の外底面に設けられた靴底材とを有し、靴底材は、土踏まず部と、土踏まず部の前側に配置され且つ当該土踏まず部とヒンジ結合された爪先部と、土踏まず部の後側に配置され且つ当該土踏まず部とヒンジ結合された踵部とを備え、上記土踏まず部の剛性は、踵部の剛性及び爪先部の剛性よりも低く設定されていることを特徴とするものである。
【０００９】
この構成によれば、靴底材が爪先部、土踏まず部及び踵部に三分割されており、しかも、土踏まず部に対して爪先部及び踵部がそれぞれ独立して回動変位することができる。このため、この靴底材は、縦方向にきわめて撓みやすい。ここで、「縦方向」とは、当該釣用靴に釣人の足が挿入された状態における当該足の長さ方向（爪先と踵とを結ぶ方向）である。したがって、釣人は、釣用靴を履いた状態であっても足を長さ方向に容易に湾曲させることができる。そして、釣人は、このように足を湾曲させた状態で石や岩のうえに土踏まず部を当接させることができる。この土踏まず部の剛性は低く設定されているから、釣人は、この土踏まず部を通して釣場の石や岩の表面の状態を認知しやすくなる。
【００１０】
上記靴底材は、可撓性を有するシート状の取付部材を備え、上記土踏まず部、爪先部及び踵部は、上記取付部材上に配置されているのが好ましい。この構成では、取付部材が湾曲ないし屈曲することによって、土踏まず部に対して爪先部及び踵部がそれぞれ独立して回動変位する。つまり、この取付部材が土踏まず部と爪先部とを連結するヒンジ及び土踏まず部と踵部とを連結するヒンジを構成することになる。したがって、靴底材の構造がきわめて簡略化される。
【００１１】
上記土踏まず部と上記爪先部との境界、及び上記土踏まず部と踵部との境界に、断面形状がＶ字状の溝が設けられているのが好ましい。これにより、通常の状態（釣人が歩行せずに直立している状態）においても、靴底材の下面（石や岩との接触面）に開口する溝が形成されることになる。したがって、釣人は、釣用靴を履いた状態で足を長さ方向に沿って内側に容易に湾曲させることができる。すなわち、釣人は、足の裏により上記石や岩を把持するように靴底材を湾曲させることができる。これにより、釣人は、釣場の石や岩の表面の状態をより的確に認知しやすくなる。
【００１２】
上記靴底材は、上記靴本体の外底面に着脱自在に設けられているのが好ましい。これにより、靴底材が摩耗等したときは、釣人は、靴底材のみを交換することができる。
【００１３】
(3) 上記目的が達成されるため、本発明に係る靴底材は、釣用靴の靴本体の外底面に設けられる靴底材であって、土踏まず部と、土踏まず部の前側に配置され且つ当該土踏まず部とヒンジ結合された爪先部と、土踏まず部の後側に配置され且つ当該土踏まず部とヒンジ結合された踵部とを備え、上記土踏まず部の剛性は、踵部の剛性及び爪先部の剛性よりも低く設定されていることを特徴とするものである。
【００１４】
この構成によれば、靴底材は、釣用靴の靴本体の外底面に取り付けられ、その状態で釣人は、当該釣用靴を着用する。靴底材が爪先部、土踏まず部及び踵部に三分割されており、しかも、土踏まず部に対して爪先部及び踵部がそれぞれ独立して回動変位することができる。このため、この靴底材は、縦方向にきわめて撓みやすい。ここで、「縦方向」とは、釣用靴に釣人の足が挿入された状態における当該足の長さ方向（爪先と踵とを結ぶ方向）である。したがって、釣人は、当該釣用靴を履いた状態であっても足を長さ方向に容易に湾曲させることができる。そして、釣人は、このように足を湾曲させた状態で石や岩のうえに土踏まず部を当接させることができる。この土踏まず部の剛性は低く設定されているから、釣人は、この土踏まず部を通して釣場の石や岩の表面の状態を認知しやすくなる。
【００１５】
上記土踏まず部、爪先部及び踵部は、可撓性を有するシート状の取付部材上に配置されているのが好ましい。この構成では、取付部材の変形によって、土踏まず部に対して爪先部及び踵部がそれぞれ独立して回動変位する。つまり、この取付部材が土踏まず部と爪先部とを連結するヒンジ及び土踏まず部と踵部とを連結するヒンジを構成することになる。したがって、靴底材の構造がきわめて簡略化される。
【００１６】
上記土踏まず部と上記爪先部との境界、及び上記土踏まず部と踵部との境界に、断面形状がＶ字状の溝が設けられているのが好ましい。これにより、通常の状態（釣人が歩行せずに直立している状態）においても、靴底材の下面（石や岩との接触面）に開口する溝が形成されることになる。したがって、釣人は、釣用靴を履いた状態で足を長さ方向に沿って内側に容易に湾曲させることができる。すなわち、釣人は、足の裏により上記石や岩を把持するように靴底材を湾曲させることができる。これにより、釣人は、釣場の石や岩の表面の状態をより的確に認知しやすくなる。
【００１７】
この靴底材は、上記靴本体の外底面に着脱自在に設けられているのが好ましい。これにより、靴底材が摩耗等したときは、釣人は、当該靴底材のみを交換することができる。
【発明の効果】
【００１８】
本発明によれば、靴底材が容易に変形するので、釣人は、足を接地させようとする石や岩の表面の状態を自己の足の裏で認知することができる。これにより、釣人は、自己の足の接地のしかたを工夫することができ、その結果、この釣用靴は、釣場におけるあらゆる環境下においても優れた滑止効果を発揮する。
【発明を実施するための最良の形態】
【００１９】
以下、適宜図面が参照されつつ、好ましい実施形態に基づいて本発明が詳細に説明される。
【００２０】
図１は、本発明の一実施形態に係る釣用靴の斜視図であり、図２は、この釣用靴の要部拡大断面図である。
【００２１】
この釣用靴１０は、例えば川釣り等において釣人が釣り場を安全に歩行等するために着用するものである。本実施形態に係る釣用靴１０の特徴とするところは、釣用靴１０のソール部分の構造である。すなわち、釣用靴１０が後述の靴底材１３を備えることによって、釣人が釣り場を歩行する際に、高い滑止効果が発揮されるようになっている。なお、釣人は、左右対称に形成された一対の釣用靴１０を着用するが、説明の簡略化のために、以下では、右脚用の釣用靴１０の構造のついて説明される。
【００２２】
釣用靴１０は、靴本体１１と、靴本体１１の外底面３１に設けられた靴底材１３とを備えている。靴本体１１は、下部にミッドソール部１２を備えており、このミッドソール部１２に靴底材１３が取り付けられている。
【００２３】
靴本体１１は、内布１４と、本体ゴム１５と、補強ゴム１６〜２０と、中敷２１とを有する。
【００２４】
内布１４は、例えばナイロンその他ポリエステル等からなり、靴本体１１の内壁面を構成している。内布１４がナイロンその他ポリエステルにより構成されることによって、釣人にとって、釣用靴１０を履いたときの履き心地が良い。中敷２１は、内布１４の内底部２３に配置されている。内布１４の内底部２３は、釣人が釣用靴１０を履いたときに足の裏部分が載置される載置部を構成している。中敷２１は、例えば、発泡エチレン酢酸ビニル共重合体（発泡ＥＶＡ）、発泡ポリウレタン（発泡ＰＵ）、発泡ポリエチレン（発泡ＰＥ）、スポンジ等により構成されている。このため、釣人が釣用靴１０を履いたときに、当該釣用靴１０が足にフィットし、釣人にとって一層履き心地の良いものとなる。ただし、中敷２１は、省略されていてもよい。
【００２５】
本体ゴム１５は、内布１４の底部を除く外周面を囲繞するように配置されている。本体ゴム１５は、靴本体１１の骨格を形成している。本体ゴム１５としては、例えば、天然ゴム（ＮＲ）、ポリ塩化ビニル（ＰＶＣ）その他合成ゴム等が採用される。補強ゴム１６は、靴本体１１の先端部（爪先側）を被うように配置されており、当該部分を補強している。補強ゴム１６としては、例えば、天然ゴム（ＮＲ）、ポリ塩化ビニル（ＰＶＣ）その他合成ゴム等が採用される。また、補強ゴム１７は、靴本体１１の後端部（踵側）を被うように配置されており、当該部分を補強している。この補強ゴム１７は、特に肉厚部２２を備えている。この肉厚部２２は、釣人が釣用靴１０を履いたときに釣人の踵の後方に該当する部分に設けられており、釣人の踵部分の安全が確保されている。補強ゴム１７としては、例えば、天然ゴム（ＮＲ）、ポリ塩化ビニル（ＰＶＣ）その他合成ゴム等が採用される。
【００２６】
補強ゴム１８は、靴本体１１の底部の近傍に配置され、靴本体１１の周方向に沿って配置されている。つまり、この補強ゴム１８は、靴本体１１の下縁部を囲繞するように配置されており、靴本体１１の先端部及び後端部をさらに補強している。この補強ゴム１８としては、例えば、天然ゴム（ＮＲ）、ポリ塩化ビニル（ＰＶＣ）その他合成ゴム等が採用される。また、補強ゴム１９は、上記補強ゴム１８の外側に配置されている。補強ゴム１９は、靴本体１１の底部の近傍に設けられており、靴本体１１の周方向に沿って配置されている。これにより、補強ゴム１９は、靴本体１１の先端部及び下端部をより一層補強しており、釣用靴１０の耐久性及び安全性が向上されている。この補強ゴム１９としては、例えば、天然ゴム（ＮＲ）、ポリ塩化ビニル（ＰＶＣ）その他合成ゴム等が採用される。さらに、補強ゴム２０は、靴本体１１の上部開口部３６（釣人の脚が挿入される部分）の周縁部に配置されている。この補強ゴム２０は、当該周縁部を補強している。この補強ゴム２０としては、例えば、天然ゴム（ＮＲ）、ポリ塩化ビニル（ＰＶＣ）その他合成ゴム等が採用される。
【００２７】
ミッドソール部１２は、上記内布１４の外側の底面２４に配置されている。ただし、靴本体１１の底面周縁部に補強シート２５が配設されている。このため、ミッドソール部１２は、この補強シート２５を挟んで上記底面２４に固着されている。ミッドソール部１２は、基部２６と、シート部材２７と、クッション部材２８とを備えている。基部２６は、例えば合成ゴム等により構成されており、その外形形状は、上記底面２４の形状に対応している。シート部材２７は、基部２６の上面に配置され、このシート部材２７の上面にクッション部材２８が配置されている。換言すれば、基部２６、シート部材２７及びクッション部材２８は、順に積層されており、これらが一体となって上記内布１４の外側の底面２４に取り付けられている。この基部２６の底面が靴本体１１の外底面３１を構成している。この外底面３１は、後に詳述される靴底材１３が装着されるための凹部３２を備えている。
【００２８】
シート部材２７は、薄肉の板材からなる。シート部材２７を構成する材料は、例えば、樹脂が含浸された紙材のほか、ラバー、フェルト、プラスチック、金属等が採用され得る。クッション部材２８は、発泡エチレン酢酸ビニル共重合体、発泡合成ゴム、発泡天然ゴム、発泡ウレタン、フェルト材等の発泡成形部材により構成されている。なお、本実施形態では、シート部材２７の上面にクッション部材２８が積層されているが、基部２６の上面にクッション部材２８が配置され、その上面にシート部材２７が配置されていてもよい。ただし、これらシート部材２７及びクッション部材２８は、省略されていてもよい。
【００２９】
図３は、靴底材１３の斜視図である。同図において、靴底材１３の上側の面が当該靴底材１３の下面４０である（図２参照）。
【００３０】
図２及び図３が示すように、靴底材１３は、靴本体１１の外底面３１に着脱可能に取り付けられている。靴底材１３は、取付部材３３を備えている。靴底材１３は、板状に形成されており、その外形形状は、上記靴本体１１の外底面３１に対応するように形成されている。具体的には、靴底材１３の外形形状は、上記外底面３１に設けられた凹部３２にぴったりと嵌め合わされるように形成されている。靴底材１３の肉厚寸法Ｄは、本実施形態では１５ｍｍに設定されている。ただし、この肉厚寸法Ｄは、１０．０ｍｍ〜２０．０ｍｍの範囲で適宜設定され得る。
【００３１】
靴底材１３は、本実施形態では三分割されている。すなわち、靴底材１３は、中央部に配置された土踏まず部８１と、爪先部８２と、踵部８３とを有する。土踏まず部８１は、釣人がこの釣用靴１０を履いた状態で、足の裏の土踏まず部分に対応している。爪先部８２は、土踏まず部８１の前側に配置されており、釣人の足の裏の爪先から土踏まずまでの部分に対応している。踵部分８３は、土踏まず部８１の後側に配置されており、釣人の足の裏の踵部分に対応している。土踏まず部８１、爪先部８２及び踵部８３は、互いに隣接しており、それぞれ上記取付部材３３上に配置されており、この取付部材３３に固定されている。土踏まず部８１と爪先部８２、及び土踏まず部８１と踵部８３は、それぞれ後述のようにヒンジ結合されている。したがって、土踏まず部８１に対して爪先部８２が回動自在となっており、また、土踏まず部８１に対して踵部８３が回動自在となっている。
【００３２】
土踏まず部８１、爪先部８２及び踵部８３は、それぞれ、図３が示すようにブロック状に形成されている。これら土踏まず部８１、爪先部８２及び踵部８３は、フェルトを主成分として構成されている。つまり、土踏まず部８１、爪先部８２及び踵部８３は、繊維が立体的に且つ方向の規則性なく集合されることによって構成されている。この繊維の種類は、例えばナイロンその他ポリエステル等の合成繊維のほか、やしがら繊維や麻等の天然繊維が採用され得る。ただし、土踏まず部８１の剛性（構造物としての剛性）は、爪先部８２の剛性及び踵部８３の剛性よりも低く設定されている。土踏まず部８１の剛性を抑える手段としては、例えば、上記繊維の密度を小さくする手段や剛性の小さい繊維を使用する手段等が考えられる。
【００３３】
図４は、靴底材１３のIV−IV断面図であり、靴底材１３が屈曲した状態を示している。
【００３４】
図３及び図４が示すように、取付部材３３は、靴底材１３の上面３９に張り付けられている。取付部材３３は、薄肉平板状（シート状）の部材であって、靴底材１３の上面３９（図３では、下側の面）を覆っている。この取付部材３３は、例えば、ナイロンその他ポリエステル等の合成繊維を含む不織布からなり、可撓性に優れている。上記土踏まず部８１、爪先部８２及び踵部８３は、互いに隣接しているが互いに固着されていない。したがって、取付部材３３が屈曲することにより、靴底材１３は、図３が示す姿勢から図４が示す姿勢に屈曲することができる。つまり、前述のように、土踏まず部８１と爪先部８２とがヒンジ結合され、また、土踏まず部８１と踵部８３とがヒンジ結合された状態となっている。そして、上記シート状の取付部材３３が、土踏まず部８１と爪先部８２とを連結するヒンジを構成し、また、土踏まず部８１と踵部８３とを連結するヒンジを構成している。
【００３５】
本実施形態では、上記取付部材３３がヒンジを構成しているので、ヒンジ機構を備えた靴底材１３の構造がきわめて簡略化されるという利点がある。ただし、土踏まず部８１と爪先部８２、及び土踏まず部８１と踵部８３を連結するヒンジ部材が別に設けられていてもよいことは勿論である。
【００３６】
本実施形態では、この取付部材３３と上記凹部３２の壁面との間に面ファスナー機構が構成されている。すなわち、取付部材３３の表面（図３及び図４では、下側の面）では、繊維がループ状に形成されており、上記凹部３２の内面では、繊維がフック状に形成されている。したがって、靴底材１３が上記凹部３２に嵌め込まれたときに、取付部材３３が上記凹部３２の壁面に一定の保持力で着脱自在に係合する。これにより、靴底材１３は、一定の保持力でミッドソール部１２に着脱自在に保持されることになる。もっとも、取付部材３３がループテープから構成され、上記凹部３２に、このループテープと係合するフックテープが設けられていてもよい。
【００３７】
この釣用靴１０は、概ね次のようにして製造される。釣用靴１０の製造には、足型が用いられる。まず、この足型に上記内布１４が被せられる。この内布１４を被うように上記本体ゴム１５が被せられる。次に、内布１４の底部にクッション部材２８及びシート部材２７が貼り付けられ、さらに、上記補強シート２５及び各補強ゴム１６〜２０が順に貼り付けられる。そして、靴本体１１の底部を被うようにミッドソール部１２の基部２６が貼り付けられる。上記本体ゴム１５、各補強ゴム１６等及び基部２６は、既知の接着剤や加硫処理等によって固着される。中敷２１は、靴本体１１の上部開口部３６から挿入され、靴本体１１の内底部に配置される。また、上記靴底材１３は、予め別部品として組み立てられる。この靴底材１３がミッドソール部１２の凹部３２に嵌め込まれるだけで、上記面ファスナー機構を介してミッドソール部１２に固定される。なお、本実施形態では、靴底材１３は着脱自在に靴本体１１に取り付けられているが、靴底材１３が靴本体１１に固定されていてもよい。
【００３８】
釣人は、自己の足を上記上部開口部３６（図１参照）から挿入することによって、この釣用靴１０を履くことができる。釣人は、この釣用靴１０を着用して釣り場を歩行すると、靴底材１３が爪先部８２、土踏まず部８１及び踵部８３に三分割されているから、土踏まず部８１に対して爪先部８２及び踵部８３がそれぞれ独立して回動変位することができる（図４参照）。つまり、この靴底材１３は、縦方向にきわめて撓みやすい。この「縦方向」とは、釣人の足の長さ方向（爪先と踵とを結ぶ方向）である。したがって、釣人は、釣用靴１０を履いた状態であっても足を長さ方向に容易に湾曲させる（反らせる）ことができる。そして、釣人は、このように足を反らせた状態で石や岩のうえに土踏まず部８１を当接させることができる。しかも、前述のように、この土踏まず部８１の剛性は低く設定されているから、釣人は、この土踏まず部８１を通して釣場の石や岩の表面の状態を認知することができる。
【００３９】
このように靴底材１３が容易に変形するので、釣人は、足を接地させようとする石や岩の表面の状態を自己の足の裏で認知することができる。したがって、釣人は、自己の足の接地のしかたを工夫することができ、その結果、この釣用靴１０は、釣場におけるあらゆる環境下においても優れた滑止効果を発揮する。
【００４０】
次に、本実施形態の変形例について説明される。図５は、本実施形態の変形例に係る靴底材７３の断面図である。
【００４１】
本変形例に係る靴底材７３が上記実施形態に係る靴底材１３と異なるところは、上記土踏まず部８１と爪先部８２との境界、及び土踏まず部８１と踵部８３との境界に、それぞれＶ字状の溝８４、８５が設けられている点である。なお、その他の構成については、上記実施形態と同様である。
【００４２】
このような溝８４、８５が設けられることにより、常時において、靴底材７３の下面４０（石や岩との接触面）に露出する開口部が形成されることになる。この場合、「常時において」とは、釣人が釣用靴１０を履いたまま歩行せずに直立している状態（通常の状態）の意である。常時において靴底材７３の下面４０に上記開口部が形成されるので、釣人は、釣用靴１０を履いた状態で足を縦方向に沿って内側にも外側にもきわめて容易に湾曲させることができる。すなわち、釣人は、自己の足の裏によって石や岩を把持するように靴底材７３を湾曲させることができる。したがって、釣人は、釣り場の石や岩の表面の状態をより的確に認知することができ、その結果、当該釣用靴１０は、なお一層高い滑止効果を発揮するという利点がある。
【産業上の利用可能性】
【００４３】
本発明は、川釣りや磯釣りに使用される釣用靴に適用され得る。
【図面の簡単な説明】
【００４４】
【図１】図１は、本発明の一実施形態に係る釣用靴の斜視図である。
【図２】図２は、本発明の一実施形態に係る釣用靴の要部拡大断面図である。
【図３】図３は、本発明の一実施形態に係る釣用靴の靴底材の斜視図である。
【図４】図４は、本発明の一実施形態に係る釣用靴の靴底材のIV−IV断面図である。
【図５】図４は、本発明の一実施形態の変形例に係る靴底材の断面図である。
【符号の説明】
【００４５】
１０・・・釣用靴
１１・・・靴本体
１２・・・ミッドソール部
１３・・・靴底材
３１・・・靴本体の外底面
３２・・・凹部
３３・・・取付部材
３９・・・靴底材の上面
４０・・・靴底材の下面
４３・・・矢印
７３・・・靴底材
８１・・・土踏まず部
８２・・・爪先部
８３・・・踵部
８４・・・溝
８５・・・溝
【図１】
2006296628.tif 000003
【図２】
2006296628.tif 000004
【図３】
2006296628.tif 000005
【図４】
2006296628.tif 000006
【図５】
2006296628.tif 000007